(57)【特許請求の範囲】
【請求項１】
機械の外側から預入れされた紙幣を受入れるための第１のユニット（１０）と、
前記第１のユニットを通って預入れされた紙幣の有効性、品質および額面をチェックするための第２のユニット（１１）と、
前記第２のユニットから受入れられた１又はそれ以上の変動する枚数のチェックした紙幣を一束に束ね、そして認知できないように開封および再シールをすることが困難な閉鎖された包装中へ前記束を収納するための、透明な包装材料（１８４）を支承するロール（１８２，１８３）を有する包装装置（１８）を備えている第３のユニット（１６−１８）、そして
包装された前記紙幣の中味に関する情報を閉鎖された包装の外側から正しく目視可能であるようにするために、前記ロールから取られた前記透明な包装材料（１８４）の内側に前記束に関する前記情報を鏡像で耐久的に印刷するための、前記ロール（１８２）の上方に近接して配置された印刷装置（１８１）と
を備えている紙幣取扱い装置。
【発明の詳細な説明】
【０００１】
【本発明の分野】
本発明は、作動時に閉鎖され、そして外部から機械へ供給された紙幣を受入れるためのユニットと、預入れされた紙幣の有効性、品質および額面をチェックするためのユニットと、そしてチェックされた紙幣を収束し、ケースに入れまたは包装するためのユニットを含んでいる機械を備えた種類の紙幣取扱い装置に関する。紙幣ケース入れ手段は装置内でシールされその後破いて開いた紙幣包装を認知不可能に再閉鎖することを効果的に困難にする態様で閉鎖された包装を提供するようにケース入れするのに適応している。装置はまた、各収束／ケース入れ機能に関して包装の中味を開示する情報を印刷するための手段を含んでいる。
【０００２】
【本発明の背景】
前記した種類の装置はこの分野において既知である。この点に関し例えば米国特許第５，０３１，３７９号および第５，４６８，９４１号明細書を見よ。金銭取扱い一般および特に紙幣の取扱いに関連する強盗および夜盗のなお増大しているリスクはこの点に関する犯罪活動への誘惑を減らす意図のもとに以前の既知方法、装置および設備を改良することを必要とする。本発明は与えられた種類の以前から既知の紙幣取扱い装置の改良を提供するように努める。
【０００３】
【本発明の概要】
上に記載した種類の紙幣取扱い装置の場合、印刷装置は閉鎖されそしてシールされた紙幣包装の中味を開示する情報を閉鎖された包装を形成するように紙幣をケース入れすることを意図した透明なケース入れ材料の内側に鏡像で印刷するのに適応し、そのため閉鎖された包装に関する情報は正しい側を上にし、耐久性で前記包装の外側から見ることができる。これは認知することができないまたは情報をごまかす態様において紙幣の包装を再シールする可能性を大幅に減らすものと信じられる。
【０００４】
今や本発明は添付概略図を参照してもっと詳細に記載されるであろう。
【０００５】
【好ましい具体例の説明】
本発明の紙幣取扱い機械は預入れ部１および払出し部１を含んでいる。
【０００６】
預入れ部１は、投入コンパーメント１０、検出手段１１，処理ユニット１２，コンベア経路１３’−１３”−１３、第１の貯蔵手段１４、第２の貯蔵手段１５、第１のスタッカー手段１６、第２のスタッカー手段１７、および包装もしくはケース入れユニット１８を含んでいる。
【０００８】
紙幣が機械へ投入される時、場合により異なる金額の紙幣の束が預入れコンパーメント１０に入れられる。該コンパーメントは５００枚までの紙幣を受入れる。これらの紙幣は次々に分離され、検出手段１１を通って上部コンベア経路１３’に沿って下方コンベア経路１３へ紙幣を下方へ誘導する案内手段（方向変換）１３”まで運搬される。
【０００９】
検出手段１１は預入れコンパートメント１０に接近して配置され、そして偽紙幣、劣悪品質の紙幣および他の紙幣を選別する。ここでは選別とは、紙幣の後の輸送においてそれぞれの紙幣を“多分偽”，“劣悪品質”または受容された紙幣として取扱うことができるように、何らかの方法で通過する紙幣をマークすることを意味する。
【００１０】
貯蔵装置１４および機械内の複数の他の類似な貯蔵装置は、その間に紙幣が貯蔵される２本のベルトと、そして貯蔵および二つの巻戻しドラム１４１，１４２，１４３を有する。前記貯蔵装置へ到着する紙幣の先導縁はセンサー１４４を作動させ、それにより各自それぞれのドラム１４１−１４３を駆動する三つのモータを始動させる。紙幣はベルトの間で約１２０ｍｍ引かれ、ベルトは一所に紙幣約５００枚を収容できる貯蔵ドラム１４１上に巻取られる。ベルトがドラム上にコイル巻される時、紙幣に関する情報が処理ユニット１２へ送られる。これは紙幣間の列の計数を行うことを可能にする。紙幣が装置１４から取られる時、パルスがモータへ送られ、ドラムを反対方向に回転させる。
【００１１】
貯蔵装置１４，１５へ近接してコンベア経路に沿って設けられたマニピュレータ１９は輸送中ねじれた又は横にずれた紙幣の位置を修正するように機能する。
【００１２】
スタッカー装置１６，１７の各自はいわゆるスタッカー輪であり、貯蔵コンパートメントへ供給された互いに列になった紙幣を束に集める。この束が意図した枚数の紙幣を含む時、束は一対のアームによって挟まれ、そして包装ユニット１８へ下方に供給される。
【００１３】
包装ユニット１８は包装材料（プラスチック材料）を支承する二つのローラーを含んでいる。包装もしくはケース入れすべき紙幣束は各ロールからの同じ長さおよび幅の２枚のプラスチック片からなるポケット中へ下方へ引かれる。プラスチック片は束のまわりに一所に圧せられ、そしてテフロン被覆加熱ワイヤの助けによりそれらの縁に沿って溶着される。この既知の技術のもっと詳細な説明は米国特許第５，０３１，３７９号明細書を参照されたい。
【００１４】
処理ユニット１２は劣悪品質の紙幣の輸送をコンベア経路１３に沿ってユニット１６および１８へこれらの紙幣の貯蔵および包装のために制御する。このユニットはスタッカー装置１６と包装装置１８とからなる。
【００１５】
処理ユニット１２はまた、残りの真正のそして受容された紙幣の少なくとも一部をそれらの額面順にこれらの紙幣を貯蔵および包装するためユニット１４−１７−１８へ制御する。このユニットは貯蔵装置１４、スタッカー装置１７および包装ユニット１８からなる。
【００１６】
処理ユニット１２が経路セレクター、検出器等の助けによりコンベア経路１３の異なる部分に沿ってそれらの最終目的位置への紙幣の通過を制御する態様は当分野では既知であり、それ故ここでは詳細に記載しない。
【００１７】
検出装置１１において検出された偽紙幣は例えばスタッカー装置１６へ運搬されることができ、そこから紙幣の枚数、日付等と、そして例えば口座番号を介して紙幣を預入れした客に関する情報が書かれた自動的に分配される受領証と共にそれらがケース入れまたは包装されるユニット１８へ輸送される。これは偽または疑わしい紙幣の源を調査することを可能にする。
【００１８】
図２は、偽紙幣を貯蔵およびケース入れのためのユニット１６−１８を形成するモードにあるスタッカー装置１６と包装装置１８を図示する。鏡イメージで顧客関連情報および検出された偽紙幣（好ましくは何枚かのそのような紙幣）に関する情報を包装材料（プラスチック片）の内側に直接印刷するための印刷装置１８１が備えられる。紙幣の輸送および前記情報の印刷は処理ユニット１２によって制御される。このため１回の同じ預入れ機会において偽と疑われたいくつかの紙幣が検出されれば、これら紙幣は包装の中味に関する耐久性の情報が印刷された一つの同じ包装に集められるであろう。
【００    】
当然真正のそして受容された紙幣に対してもこの印刷操作は同じであろう。これらの紙幣は上に記載したのと同じような貯蔵およびケース入れのためのユニット１４−１７−１８へ輸送される。
【００１９】
図３は、プラスチック包装材料１８４のロール１８２，１８３を含んでいる実際の包装機構を図示する。二つのロールから取られた材料は端部１８５において溶着され（先の包装作業後）、そして上方から下方へ供給された紙幣のための使い捨てカセットもしくはケースの底を形成する。印刷装置１８１はロール１８２の上方へ近接して該装置の印刷ヘッド１８１１をガイドローラー１８６へ近接してそしてプラスチック材料１８４の上側にして取付けられる。このため材料１８４の上側は紙幣が各ロールからの２枚のプラスチック材料長さの間に上方から下方へ供給されそして次に閉じたケースもしくはカセットを形成するように溶着された時にケースもしくはカセットの内側になる。印刷は溶着された継目１８５近くに施されることが重要である。
【図面の簡単な説明】
【図１】  本発明の紙幣取扱い機械を図示する。
【図２】  いくらか拡大したスケールで図１に示した機械に含まれる紙幣を貯蔵しケース入れするためのユニットを図示する。
【図３】  図１に示した機械に含まれるケース入れ機構を図示する。
【図１】
0004362749.tif 000002
【図２】
0004362749.tif 000003
【図３】
0004362749.tif 000004